(57)【要約】【課題】転倒防止装置を取り付ける際又は取り外す際の作業性を向上させる。【解決手段】転倒防止装置１は、家具Ｆの上面と天井Ｃとの間に取り付けられる。転倒防止装置１は、ダンパ７と、ダンパ７の伸縮に伴って相対的に遠ざかったり近づいたりする第１アセンブリ１５及び第２アセンブリ１７と、第１アセンブリ１５及び第２アセンブリ１７のいずれか一方に取り付けられた滑車１９と、第１アセンブリ１５及び第２アセンブリ１７のいずれか他方に一端が取り付けられ、滑車１９に掛け渡されたロープ２１と、を備えている。【選択図】図１
2017225538.tif 000002
【特許請求の範囲】
【請求項１】
物品の上面と天井との間に取り付けられる転倒防止装置であって、
伸縮して減衰力を発揮するダンパと、
前記ダンパの伸縮に伴って相対的に遠ざかったり近づいたりする第１アセンブリ及び第２アセンブリと、
前記第１アセンブリ及び前記第２アセンブリのいずれか一方に取り付けられた滑車と、
前記第１アセンブリ及び前記第２アセンブリのいずれか他方に一端が取り付けられ、前記滑車に掛け渡された索状物と、
を備えていることを特徴とする転倒防止装置。
【請求項２】
前記第１アセンブリ及び前記第２アセンブリのいずれか他方に取り付けられ、前記索状物を巻き取るウインチを備えていることを特徴とする請求項１記載の転倒防止装置。
【請求項３】
前記ダンパは、シリンダ、及び前記シリンダの一端側から突出したロッドを有しており、
前記第１アセンブリは、前記シリンダ、及び前記シリンダの他端に連結され、前記物品の上面に当接する第１ベース部を有しており、
前記第２アセンブリは、前記ロッド、前記ロッドの先端に連結され、前記天井に当接する第２ベース部、及び前記ロッドに取り付けられたロッドカバーを有しており、
前記滑車は前記第１ベース部に取り付けられており、
前記索状物は前記ロッドカバーに一端が取り付けられていることを特徴とする請求項２記載の転倒防止装置。
【請求項４】
前記ウインチは前記第２ベース部に取り付けられていることを特徴とする請求項３に記載の転倒防止装置。
【発明の詳細な説明】
【技術分野】
【０００１】
本発明は転倒防止装置に関するものである。
【背景技術】
【０００２】
特許文献１は従来の転倒防止装置を開示している。この転倒防止装置は伸縮して減衰力を発生するダンパと一対のベース部とを備えている。転倒防止装置は床面上に設置された家具の上面と天井との間に取り付けられている。一対のベース部はダンパの両端部の夫々を回動軸周りに回動自在に軸支している。一方のベース部は家具の上面に当接し、他方のベース部は天井に当接している。このため、この転倒防止装置は、地震等の揺れによって家具が前方に傾くと、各ベース部に対してダンパが回動軸周りに回動して伸縮し、各ベース部が家具の上面と天井とに当接した状態を維持することができる。よって、この転倒防止装置は、ダンパの減衰力により、家具の傾きを抑制して家具の転倒を防止することができる。
【先行技術文献】
【特許文献】
【０００３】
【特許文献１】特開２０１５−６３３０号公報
【発明の概要】
【発明が解決しようとする課題】
【０００４】
特許文献１の転倒防止装置は、家具の上面と天井との間に、取り付ける際又は取り外す際には、人の力によりダンパを縮める必要があり、ダンパの種類によっては相当な力を要し、作業性の改善が求められていた。
【０００５】
本発明は、上記従来の実情に鑑みてなされたものであって、転倒防止装置を取り付ける際又は取り外す際の作業性を向上させることを目的とする。
【課題を解決するための手段】
【０００６】
本発明の転倒防止装置は、物品の上面と天井との間に取り付けられる転倒防止装置である。転倒防止装置は、伸縮して減衰力を発揮するダンパと、ダンパの伸縮に伴って相対的に遠ざかったり近づいたりする第１アセンブリ及び第２アセンブリと、第１アセンブリ及び第２アセンブリのいずれか一方に取り付けられた滑車と、第１アセンブリ及び前記第２アセンブリのいずれか他方に一端が取り付けられ、滑車に掛け渡された索状物と、を備えている。
【０００７】
この転倒防止装置は、滑車が動滑車となることから、索状物を引っ張ることにより、従来の場合と比較して少ない力で、ダンパを縮めることができる。よって、転倒防止装置の取り付ける際又は取り外す際の作業性を向上できる。
【０００８】
ここで、物品は、家具、書棚、冷蔵庫、ショーケース、サーバーラック、複数の寝台を上下方向に連結したベッド、大型テレビ等、地震等の揺れによって転倒するおそれのあるものが含まれる。
また、索状物とは、ロープ、ケーブル、ベルト、鎖などの柔軟性を持った長尺状のものをいう。
【０００９】
本発明の転倒防止装置では、第１アセンブリ及び第２アセンブリのいずれか他方に取り付けられ、索状物を巻き取るウインチを備えていることができる。索状物をウインチで巻き取ることで、より作業性が向上する。
【００１０】
本発明の転倒防止装置では、次の態様を採用することができる。ダンパは、シリンダ、及びシリンダの一端側から突出したロッドを有している。第１アセンブリは、シリンダ、及びシリンダの他端に連結され、物品の上面に当接する第１ベース部を有している。第２アセンブリは、ロッド、ロッドの先端に連結され、天井に当接する第２ベース部、及びロッドに取り付けられたロッドカバーを有している。滑車は第１ベース部に取り付けられており、索状物はロッドカバーに一端が取り付けられている。この態様では、ロッドカバーに従来の機能に加え、索状物の取り付け部としての機能を付与することで、ロッドカバーをより有効に用いることができる。
【００１１】
本発明の転倒防止装置では、ウインチが第２ベース部に取り付けられている構成にできる。ウインチを、滑車のある第１ベース部に取り付けると、第１ベース部には、滑車及びウインチの取り付けスペースを確保するため、それらの配置等を考慮して複雑な構成としなければならない。本形態のように、ウインチを滑車のない第２ベース部に取り付けることで簡易な構成を採用することができる。
【図面の簡単な説明】
【００１２】
【図１】実施形態１の転倒防止装置を家具の上面と天井との間に取り付けた状態を示す側面図である。
【図２】実施形態１の転倒防止装置の正面図である。
【図３】実施形態１の転倒防止装置の部分断面図である。
【図４】実施形態１の転倒防止装置のダンパが縮んだ使用状態を示す側面図である。
【図５】実施形態２の転倒防止装置を家具の上面と天井との間に取り付けた状態を示す側面図である。
【図６】実施形態２の第２ベース部及びロッドを示す側面図である。
【図７】実施形態２の第２ベース部及びロッドを示す部分断面図である。
【図８】実施形態３の側面図である。
【発明を実施するための形態】
【００１３】
本発明の転倒防止装置を具体化した実施形態１について、図面を参照しつつ説明する。
【００１４】
＜実施形態１＞
実施形態１の転倒防止装置１は、図１に示すように、家具Ｆの上面と天井Ｃとの間に取り付けられる。家具Ｆは床面から鉛直方向に伸びた壁面Ｗに背面を対向させて床面上に設置されている。また、この家具Ｆは、直方体形状であり、図示しない扉や引き出し等を有し、内部に衣類や装身具等を収納することができる。この家具Ｆは、転倒防止装置１が取り付けられていない場合、地震等の揺れによって、前方向（図１において右方向）に傾いて転倒するおそれがある。
【００１５】
実施形態１の転倒防止装置１は、図１〜図４に示すように、シリンダ３、及びシリンダ３の一端側から突出したロッド５を有するダンパ７と、第１ベース部１１と、第２ベース部１３と、を備える。第１ベース部１１は、家具Ｆの上面に当接する。第２ベース部１３は、天井Ｃに当接する。第１アセンブリ１５は、シリンダ３、及び第１ベース部１１を有する。第２アセンブリ１７は、ロッド５、及び第２ベース部１３を有する。第１アセンブリ１５と、第２アセンブリ１７とは、ダンパ７が伸縮することで、相対的な位置関係が変化する。第１アセンブリ１５には、滑車１９が、取り付けられている。第２アセンブリ１７には、ロープ２１（本発明の索状物に相当）の一端が取り付けられている。ロープ２１は、滑車１９に掛け渡されて、その他端が、第２アセンブリ１７に向けて引き出されている。
【００１６】
ダンパ７は、シリンダ３、図示しないロッドガイド、図示しないピストン、ロッド５、及び両端に設けられた２個のジョイント部２３，２３を有している。シリンダ３は有底筒状である。ロッドガイドはシリンダ３の開口部を封鎖している。ピストンはシリンダ３内に摺動自在に挿入されている。ロッド５は基端部がピストンに連結されている。また、ロッド５はロッドガイドを挿通して先端側がシリンダ３の外部へ突出している。シリンダ３は作動油及び圧縮ガスを封入している。
【００１７】
ダンパ７は収縮動作時に発生する減衰力が伸長動作時に発生する減衰力よりも小さい圧効きダンパである。ここで、ダンパ７の伸長動作とは、シリンダ３からロッド５の突出長さ（ダンパ７の全長）が長くなっていく動作を意味する。また、ダンパ７の収縮動作とは、シリンダ３からロッド５の突出長さ（ダンパ７の全長）が短くなっていく動作を意味する。また、ダンパ７はシリンダ３に封入した圧縮ガスのガス圧が伸長方向に働いている。
【００１８】
ダンパ７の減衰力が発生するメカニズムは、周知の構造であるため、図示を省略して説明する。シリンダ３は、内部がピストンによって、ロッド５の基端部が収納されているロッド側圧力室と、反ロッド側圧力室とに仕切られている。ピストンは両圧力室間を連通させる絞り弁であるオリフィスが形成されている。オリフィスは、ダンパ７の伸縮動作に伴うロッド側圧力室と反ロッド側圧力室との間の作動油の流れに抵抗を付与して減衰力を発生する減衰力発生部として機能する。また、ピストンは逆止弁を介して両圧力室間を連通する連通路が形成されている。逆止弁は、ロッド側圧力室から反ロッド側圧力室への作動油の流れを許容し、その逆の流れを阻止する。このため、ダンパ７は、伸長動作時、ロッド側圧力室から反ロッド側圧力室への作動油の流路経路が、オリフィスと連通路の経路になる。一方、ダンパ７は、収縮動作時、反ロッド側圧力室からロッド側圧力室への作動油の流路経路がオリフィスのみとなる。このため、ダンパ７は伸長動作時に発生する減衰力が収縮動作時に発生する減衰力よりも小さくなる。
【００１９】
第１ベース部１１は、図１に示すように、シリンダ３の底部に接続されたジョイント部２３と連結されている。第２ベース部１３は、図１に示すように、ロッド５の先端部に接続されたジョイント部２３と連結されている。
第１ベース部１１には、滑車１９が取り付けられているが、その他の構造は、第１ベース部１１と第２ベース部１３では共通している。そのため、第１ベース部１１と第２ベース部１３の共通部分については、第１ベース部１１のみを説明する。
【００２０】
家具Ｆの上面に当接して載置された状態で第１ベース部１１を上方から見た平面視において、ベース部本体２５は長方形状の外形である（以下、この平面視におけるベース部本体２５の外形において長辺が延びている方向を「長辺方向」と言い、短辺が延びている方向を「短辺方向」と言う。）。また、家具Ｆの上面に当接して載置された状態で第１ベース部１１を短辺方向に見た側面視において、ベース部本体２５は、下端縁が家具Ｆの上面に平行に直線状に伸びており、上端縁が下端縁の両側から上方に膨らんだ円弧状の外形である（図１参照）。また、家具Ｆの上面に当接して載置された状態で第１ベース部１１を長辺方向に見た側面視において、ベース部本体２５は下端縁よりも上端縁が短い略台形状の外形である（図３参照）。
【００２１】
第１ベース部１１の家具Ｆの上面に当接する部分には、滑り止め部２７が形成されている。滑り止め部２７は、その外形が、第１ベース部１１の外形より僅かに大きい相似形（長方形状）である。滑り止め部２７は摩擦係数が高い材質で構成され、略平板である。滑り止め部２７は、家具Ｆの上面に当接する面が平坦とされている。
【００２２】
第１ベース部１１には、図２及び図３に示すように、ジョイント部２３を連結するためのボルト２９の軸部２９Ｂを受ける一対の受け部３９，３９が形成されている。これら受け部３９，３９は、その間にダンパ７のジョイント部２３及び後述するブッシュ４１が嵌まり込む空間が形成されている。一対の受け部３９，３９の内壁面同士の間隔（空間の短辺方向の長さ）はブッシュ４１の長さよりも僅かに大きい。また、一対の受け部３９，３９には略中央にボルト２９の軸部２９Ｂが挿通する挿通孔３９Ａが短辺方向に貫通している。挿通孔３９Ａの内径は、ボルト２９の頭部２９Ａよりは小さくされている。
【００２３】
挿通孔３９Ａの一方から挿入されたボルト２９と、このボルト２９の軸部２９Ｂにねじ込まれたナット４５によって回動軸部材が構成され、ボルト２９の中心軸が第１ベース部１１におけるダンパ７の回動軸になる。
【００２４】
ブッシュ４１は、略円筒状である。ブッシュ４１は弾性体である。ブッシュ４１の長さは、一対の受け部３９，３９同士の間隔よりも僅かに小さい。ブッシュ４１は中央部の外周面を一周した凹部４１Ａが形成されている。この凹部４１Ａの外径がダンパ７のジョイント部２３に形成された貫通孔２３Ａの内径に略等しい。ブッシュ４１は両端部の外周面４１Ｂが外方向に縮径している。このため、ブッシュ４１はダンパ７のジョイント部２３に形成された貫通孔２３Ａに弾性変形させながら挿入される。そして、ブッシュ４１は、貫通孔２３Ａに凹部４１Ａが嵌まり込んで、ダンパ７のジョイント部２３に取り付けられる。
【００２５】
ブッシュ４１は中央部の内径がボルト２９の軸部２９Ｂの外径よりも僅かに大きい。また、ブッシュ４１は両端部の内周面４１Ｃが外方向に拡径している。このため、このブッシュ４１はボルト２９の軸部２９Ｂ周りに回動自在である。また、このブッシュ４１は、拡径した両端部の内周面４１Ｃがボルト２９の軸部２９Ｂの外周面に当接する範囲で、ボルト２９の軸部２９Ｂに対して傾くことができる。つまり、ブッシュ４１をジョイント部２３に取り付けたダンパ７は、ボルト２９の軸部２９Ｂ周りに回動自在であり、回動方向に交差する方向に揺動自在である。さらに、ブッシュ４１が弾性変形することによって、ダンパ７は回動方向に交差する方向に、より大きく揺動することができる。
【００２６】
ジョイント部２３は、図３に示すように、上部に平坦な面２３Ｂが形成され、この面２３Ｂにシリンダ３の底部が取り付けられている。ジョイント部２３は、上部の平坦な面２３Ｂから、下方に曲がりながら下り、略垂直状になった中間部に形成された貫通孔２３Ａにブッシュ４１が取り付けられている。ジョイント部２３は、中間部の貫通孔２３Ａよりも下方で２回屈曲して、略垂直状をなした下部２３Ｃが形成されている。ジョイント部２３の下部２３Ｃに滑車１９が取り付けられている。下部２３Ｃの上下方向の長さは、滑車１９の直径よりもやや大きくされ、下部２３Ｃの略中央に軸４９が設けられている。軸４９は、ボルト２９の軸部２９Ｂと略平行に設けられている。軸４９に滑車１９が回転自在に取り付けられている。滑車１９は、第１ベース部１１のボルト２９よりも下側の空間に収まる直径とされている。滑車１９は、円盤外周に沿って２つのフランジ１９Ａ，１９Ａとその間に溝を設けてロープ２１が逸脱しない構造とされている。
【００２７】
ロッド５の周りには、図１及び図２に示すように、その付属物として、円筒状のロッドカバー３１が備え付けられている。ロッドカバー３１により、ロッド５への埃等の付着を抑制している。また、ロッドカバー３１により、ロッド５が傷つくことを防止している。ロッドカバー３１の上端は、皿状の上壁部３３が備えられており、上壁部３３は、ロッド５の先端部のジョイント部２３に固定されている。一方、ロッドカバー３１の下端は、開放されている。なお、ロッドカバー３１は、第２アセンブリ１７の１つの構成要素とされている。
【００２８】
ロッドカバー３１の後側で下端寄りの位置には、ロープ２１の一端が取り付けられている。そして、ロープ２１は、第１ベース部１１の滑車１９に掛け渡されて、その他端が、第２ベース部１３に向けて引き出されている。ロープ２１の他端は、略Ｊ字状の鉤部３５が取り付けられている。
【００２９】
図１に示すように、ロッドカバー３１の前側で下端寄りの位置には、鉤部３５を引っかけるための穴部３７が形成されている。穴部３７は、鉤部３５の屈曲した先端を挿入可能な大きさとされている。ロープ２１の長さは、ダンパ７を所定長さに圧縮して、図４に示すように、穴部３７に鉤部３５を引っかけるために必要な長さとされ、ダンパ７の伸長寸法及び収縮寸法に応じて適宜選択される。
【００３０】
ここで、本実施形態の転倒防止装置１の使用方法について説明する。図１に示すように、ダンパ７が所定長さにされた状態で、第１ベース部１１は、家具Ｆの上面に当接し、第２ベース部１３は、天井Ｃに当接している。転倒防止装置１は、家具Ｆの上面より上の高い位置に取り付けられるから、作業しにくい。とりわけ、転倒防止装置１が既に取り付けられた状態では、ダンパ７はシリンダ３に封入した圧縮ガスのガス圧が伸長方向に効いており、転倒防止装置１が天井Ｃと家具Ｆとの間で外れにくくなっている。この状態で、ダンパ７を縮めて転倒防止装置１を外すことは容易ではない。
【００３１】
本実施形態の転倒防止装置１では、この設置状態から、ロープ２１を上方に引っ張ると、滑車１９は動滑車として作用し、ダンパ７が圧縮されて、第２ベース部１３が第１ベース部１１に近づいていく。そして、ダンパ７が所定長さになったところで、鉤部３５を穴部３７に引っかける。すると、容易に、転倒防止装置１を外すことができる。
【００３２】
本実施形態の転倒防止装置１では、滑車１９が動滑車となることから、従来の場合と比較して少ない力（半分の力）で、ダンパ７を縮めることができる。よって、転倒防止装置１の取り外し時の作業性を向上できる。また、ダンパ７が所定長さになったところで、鉤部３５を穴部３７に引っかけることで、ダンパ７の圧縮状態を維持することができる。
また、本実施形態の転倒防止装置１では、ロープ２１を引っ張るという単純な動作でダンパ７を縮めることができるから、作業性が高い。
【００３３】
また、転倒防止装置１を取り付ける際にも、ダンパ７を縮める必要がある。この場合にも、ロープ２１を上方に引っ張ると、滑車１９は動滑車として作用し、ダンパ７が圧縮されて、第２ベース部１３が第１ベース部１１に近づいていくから、従来の場合と比較して少ない力（半分の力）で、ダンパ７を縮めることができ、作業性が高い。転倒防止装置１を取り付ける際には、鉤部３５を穴部３７に引っかけて、ダンパ７を圧縮状態で維持して、家具Ｆの上面まで運んでいき、ここで、鉤部３５を穴部３７から外して、ダンパ７を伸長すればよいから、作業がスムーズに進行する。
【００３４】
なお、本実施形態１では、ロッドカバー３１に、ロープ２１の一端が取り付けられているとともに、ロッドカバー３１に、鉤部３５を引っかけるための穴部３７を形成しているから、ロッドカバー３１を単にロッド５の保護部材として使用するよりも、ロッドカバー３１をより有効に活用できる。
【００３５】
本実施形態の転倒防止装置１では、滑車１９が第１ベース部１１内に内蔵されているから、外観がすっきりする。
【００３６】
ここで、実施形態１の作用効果を特許請求の範囲の構成と対応づけて説明する。転倒防止装置１は、家具Ｆの上面と天井Ｃとの間に取り付けられる転倒防止装置である。転倒防止装置１は、ダンパ７と、ダンパ７の伸縮に伴って相対的に遠ざかったり近づいたりする第１アセンブリ１５及び第２アセンブリ１７と、第１アセンブリ１５及び第２アセンブリ１７のいずれか一方に取り付けられた滑車１９と、第１アセンブリ１５及び第２アセンブリ１７のいずれか他方に一端が取り付けられ、滑車１９に掛け渡されたロープ２１と、を備えている。
【００３７】
この転倒防止装置１は、上述のように、滑車１９が動滑車となることから、ロープ２１を引っ張ることにより、従来の場合と比較して少ない力で、ダンパ７を縮めることができる。よって、転倒防止装置１の取り付ける際又は取り外す際の作業性を向上できる。
【００３８】
実施形態１の転倒防止装置では、次の態様を採用している。すなわち、ダンパ７は、シリンダ３、及びシリンダ３の一端側から突出したロッド５を有している。第１アセンブリ１５は、シリンダ３、及びシリンダ３の他端に連結され、家具Ｆの上面に当接する第１ベース部１１を有している。第２アセンブリ１７は、ロッド５、ロッド５の先端に連結され、天井Ｃに当接する第２ベース部１３、及びロッド５に取り付けられたロッドカバー３１を有している。滑車１９は第１ベース部１１に取り付けられており、ロープ２１はロッドカバー３１に一端が取り付けられている。この態様では、ロッドカバー３１に従来の機能に加え、ロープ２１の取り付け部としての機能を付与することで、ロッドカバー３１をより有効に用いることができる。
【００３９】
＜実施形態２＞
次に、実施形態２に係る転倒防止装置について、図５〜７を参照しつつ説明する。なお、実施形態２に係る転倒防止装置において、上記実施形態１の転倒防止装置と略同じ構成部位には同符号を付けて、構造、作用及び効果の説明は省略する。実施形態２では、次の点が、実施形態１と相違している。
すなわち、実施形態２に係る転倒防止装置では、第２ベース部１１３内に、滑車１９に掛け渡されるロープ２１を巻き取るウインチ５１が組み込まれている。
【００４０】
第２ベース部１１３には、ジョイント部１２３を連結するためのボルト２９の軸部２９Ｂを受ける一対の受け部１３９，１３９が形成されている。これら受け部１３９，１３９は、その間にダンパ７のジョイント部１２３及びブッシュ４１が嵌まり込む空間が形成されている。また、一対の受け部１３９，１３９には略中央にボルト２９の軸部２９Ｂが挿通する挿通孔１３９Ａが短辺方向に貫通している。挿通孔１３９Ａの内径は、ボルト２９の頭部２９Ａよりは小さくされている。
【００４１】
挿通孔１３９Ａの一方から挿入されたボルト２９と、このボルト２９の軸部２９Ｂにねじ込まれたナット４５によって回動軸部材が構成され、ボルト２９の中心軸が第２ベース部１１３におけるダンパ７の回動軸になる。
【００４２】
第２ベース部１１３内には、ジョイント部１２３の上部１２３Ａが入り込んでいる。この上部１２３Ａにウインチ５１が取り付けられている。
ジョイント部１２３は、下部に平坦な面１２３Ｂが形成され、この面１２３Ｂにロッド５の先端部が取り付けられている。ジョイント部１２３は、下部の平坦な面１２３Ｂから、上方に曲がりながら上り、略垂直状になった中間部に形成された貫通孔１２３Ｃに、ブッシュ４１が取り付けられ、ブッシュ４１にボルト２９の軸部２９Ｂが挿入されている。
【００４３】
ジョイント部１２３は、中間部の貫通孔１２３Ｃよりも上方で２回屈曲して、略垂直状をなした先端部１２３Ａが形成されている。ジョイント部１２３の上部１２３Ａにウインチ５１が取り付けられている。
【００４４】
ウインチ５１は、両側が僅かに膨らんだ円柱状の巻き取り部５３の両側に２つの円板５５Ａ，５５Ｂを有するドラム５７を備えている。ドラム５７の中心には、ドラムシャフト５９が固定され、このドラムシャフト５９の一端５９Ａがジョイント部１２３の上部１２３Ａに回転自在に取り付けられている。ドラム５７は、一方の円板５５Ａを、ジョイント部１２３の上部１２３Ａに対向させた状態で取り付けられている。他方の円板５５Ｂの外側では、ドラムシャフト５９にラチェット歯車６１が固定されている。ラチェット歯車６１の歯部６３に係合する逆止爪６５が、ジョイント部１２３の上部１２３Ａから側方に突出した突出部１２３Ｄに揺動自在に取り付けられている。ドラムシャフト５９の他端５９Ｂは、四角柱状をなし、第２ベース部１１３の外壁部１１３Ａを突き抜けて外部に露出している。ドラムシャフト５９の他端５９Ｂには、四角柱状の他端５９Ｂと係合可能な係合部６３Ａを有した回転ハンドル６３が着脱可能に取り付けられる。
【００４５】
逆止爪６５は、図示しないばねによって前端部６５Ａがラチェット歯車６１に付勢され、このラチェット歯車６１の歯部６３と逆止爪６５との協働によって、ドラムシャフト５９は、定常状態で一方向にしか回転できないようになっている。従って、作業者が回転ハンドル６３から手を離した場合でも、ラチェット歯車６１に係合する逆止爪６５によって、ドラム５７の逆方向の回転が阻止され、一端巻き取ったロープ２１が戻されて、ダンパ７が途中で伸びるような事態が回避される。なお、ダンパ７を縮められた状態から戻す場合には、ラチェット歯車６１から逆止爪６５の前端部６５Ａを外して、ダンパ７を元の長さに復帰させる。
【００４６】
ここで、実施形態２の作用効果を特許請求の範囲の構成と対応づけて説明する。
実施形態２の転倒防止装置では、第１アセンブリ１５及び第２アセンブリ１７のいずれか他方（第２アセンブリ１７）に取り付けられ、ロープ２１を巻き取るウインチ５１を備えている。ロープ２１をウインチ５１で巻き取ることで、より簡便にダンパ７を縮めることができ、作業性が向上する。
実施形態２の転倒防止装置では、ウインチ５１が第２ベース部１３に取り付けられている。ウインチ５１を、滑車１９のある第１ベース部１１に取り付けると、第１ベース部１１には、滑車１９及びウインチ５１の取り付けスペースを確保するため、それらの配置等を考慮して複雑な構成としなければならない。実施形態２のように、ウインチ５１を滑車１９のない第２ベース部１３に取り付けることで簡易な構成を採用することができる。
【００４７】
＜実施形態３＞
次に、実施形態３に係る転倒防止装置について、図８を参照しつつ説明する。なお、実施形態３に係る転倒防止装置において、上記実施形態１の転倒防止装置と略同じ構成部位には同符号を付けて、構造、作用及び効果の説明は省略する。実施形態３では、次の点が、実施形態１と相違している。
すなわち、実施形態３に係る転倒防止装置では、第１ベース部２１１内の滑車が複数個の小型の滑車１９Ａ，１９Ｂ，１９Ｃとされている点が実施形態１と異なる。この実施形態３においても、複数個の滑車１９Ａ，１９Ｂ，１９Ｃがまとまって、１つの動滑車の役割を果たし、ダンパ７を圧縮する際に要する力を半減させる。よって、従来の場合と比較して少ない力（半分の力）で、ダンパ７を縮めることができ、作業性が高い。
【００４８】
＜他の実施形態＞
本発明は上記記述及び図面によって説明した実施形態に限定されるものではなく、例えば次のような実施形態も本発明の技術的範囲に含まれる。
（１）上述の実施形態１〜３では、転倒防止装置を家具Ｆに対して取り付けたが、地震等の揺れによって転倒するおそれのある、書棚、冷蔵庫等の物品に対して取り付けてもよい。
（２）上述の実施形態１〜３では、第１アセンブリ１５に、滑車１９，１９Ａ，１９Ｂ，１９Ｃが取り付けられている態様を示したが、第２アセンブリ１７に滑車を備えてもよい。
（３）上述の実施形態１〜３では、ロッドカバー３１に、ロープ２１の一端が取り付けられている態様を示したが、ロープ２１の一端は、第２アセンブリ１７の構成部材に取り付けられていればよく、第２ベース部１３に取り付けられていてもよい。
（４）上述の実施形態１〜３では、ロッド５にはがロッドカバー３１が付属している態様を示したが、ロッドカバー３１がなくてもよい。この場合には、ロープ２１は第２ベース部１３に一端が取り付けられる。
（５）上述の実施形態では、圧効きダンパ７を利用したが、収縮動作時に所定の減衰力を発揮するものであれば、両効きダンパであってもよい。
【００４９】
（６）上述の実施形態１〜３では、シリンダ３内に作動油及び圧縮ガスを封入したダンパ７を利用したが、収縮動作時に所定の減衰力を発生させるものであれば、他の液体を封入した液体圧ダンパであっても、他の形式のダンパであってもよい。
（７）上述の実施形態１〜３では、シリンダ３内に圧縮ガスを封入して伸張方向に圧縮ガスの膨張力が働くようにしたが、他の方式で伸張方向に働く力を発生させてもよい。
【００５０】
（８）上述の実施形態１〜３では、索状物としてロープ２１を例にして説明したが、索状物は、ロープに限らず、ケーブル、ベルト、鎖などの柔軟性を持った長尺状のものであればよい。
（９）上述の実施形態２では、ウインチ５１は手動としたが、動力駆動であってもよい。
（１０）上述の実施形態１〜３では、シリンダ３は作動油及び圧縮ガスを封入しているとしたが、圧縮ガスの代わりにコイルバネを収容してもよい。
【符号の説明】
【００５１】
１…転倒防止装置、３…シリンダ、５…ロッド、７…ダンパ、１１…第１ベース部、１３…第２ベース部、１５…第１アセンブリ、１７…第２アセンブリ、１９…滑車、２１…ロープ（索状物）、Ｃ…天井、Ｆ…家具（物品）
【図１】
2017225538.tif 000003
【図２】
2017225538.tif 000004
【図３】
2017225538.tif 000005
【図４】
2017225538.tif 000006
【図５】
2017225538.tif 000007
【図６】
2017225538.tif 000008
【図７】
2017225538.tif 000009
【図８】
2017225538.tif 000010